(57)【特許請求の範囲】
【請求項１】
光を発する光源ユニットと、
前記光源ユニットを収納する筐体と、
前記光源ユニットを前記筐体に固定する固定部材とを有し、
前記固定部材は、前記光源ユニットに形成された第１連結部と係留する第１係留部及び前記筐体に形成された第２連結部と係留する第２係留部を備え、
前記第２係留部は、前記固定部材の側面部に一部の角が落とされた円柱状の突起として形成され、
前記第２連結部は、前記筐体の一端側の側部に半円形状の切欠部として形成されていること
を特徴とする光源装置。
【請求項２】
前記第１係留部は、前記固定部材の下面側に突出する台形台形状の突起として形成され、
前記第１連結部は、前記光源ユニットに切欠部として形成されていること
を特徴とする請求項１に記載の光源装置。
【請求項３】
前記光源ユニットは、光源、該光源を配設する基板及び該基板を積層して保持する保持部材を設け、該保持部材の側部の一端側に切欠部である前記第１連結部が形成されていること
を特徴とする請求項１又は請求項２に記載の光源装置。
【請求項４】
前記保持部材は、前記光源からの熱を放出する放熱部材にて形成されていること
を特徴とする請求項３に記載の光源装置。
【請求項５】
前記固定部材の前記係留部の第１係留部が、前記光源ユニットの前記第１連結部に係留された状態で、
前記光源ユニットが、前記筐体に挿入され、
前記固定部材の前記係留部の第２係留部が、前記筐体の前記第２連結部に係留されていること
を特徴とする請求項１に記載の光源装置。
【請求項６】
前記固定部材は、前記光源ユニットに設けられ外部から駆動電力が供給される配線を挿通していること
を特徴とする請求項１に記載の光源装置。
【請求項７】
請求項１に記載の光源装置と、
前記光源装置に隣接し、側面から入射された前記光源装置の光を主面から導出する導光部材とを有すること
を特徴とするバックライト装置。
【請求項８】
前記導光部材の前記主面に、前記側面から入射された前記光源装置の光を拡散光として導出させる凹部、凸部、又はそれらを組み合わせたものが複数形成されていること
を特徴とする請求項７に記載のバックライト装置。
【請求項９】
前記光源装置の前記筐体に、前記導光部材を保持する保持部が形成されていること
を特徴とする請求項７に記載のバックライト装置。
【請求項１０】
請求項７に記載のバックライト装置と、
前記導光板の主面の両側又は片側に積層され、所定の情報が表示された表示部材とを有すること
を特徴とする表示装置。
【請求項１１】
保持部材に搭載された光源を当該保持部材と共に筐体に固定するために当該筺体に装着される固定部材であって、
前記筺体への装着時に当該筺体の当接面が当接する平面を備えた保持部と、
前記保持部の前記平面から前記筺体への挿入方向に延びた一対の係留部と、
前記係留部の上面の少なくとも一部より立設された一対の対向する側面部と、
を備え、前記係留部は、前記筺体への装着時に前記光源を保持する前記保持部材に係留される、台形台形状の突起として形成された第１係留部を有しており、前記側面部には、前記筺体への装着時に前記筺体に係留される、一部の角が落とされた円柱状の突起として形成された第２係留部を有していること
を特徴とする固定部材。
【請求項１２】
背面部を備えており、前記背面部には前記光源の配線が挿通される一対の開口部が設けられていること
を特徴とする請求項１１に記載の固定部材。
【発明の詳細な説明】
【技術分野】
【０００１】
本発明は、組み立て容易な光源装置、該光源装置を設けたバックライト装置、該バックライト装置を設けた表示装置、及びこれらに用いられる固定部材に関する。
【背景技術】
【０００２】
従来、発光ダイオードからの光を端面より導入し側面から出射させるための導光板を備えたＬＥＤ光源装置に関し、ＬＥＤと、ＬＥＤからの光を端面より導入し側面から出射させるための導光板と、ＬＥＤおよび導光板を収容するための筐体と、ＬＥＤに給電するための配線とを備える。導光板は、側面の長さが端面の幅よりも長く、かつ端面のサイズがＬＥＤの発光部のサイズよりも大きく構成され、側面に対向する面に端面から離れるに従って乱反射性を上げる乱反射機構を具備する構成がある（例えば、特許文献１参照。）。
【０００３】
また、液晶パネルを照明する光源装置に使用されるＬＥＤ光源装置に関し、基板の部品実装面に、直線的に配設されるＬＥＤチップをシリンドリカルレンズである散乱レンズで覆って構成するＬＥＤ光源とし、散乱レンズが、部品実装面に対して凸面になる湾曲面と、湾曲面の端部から部品実装面に向かって先細りとなるテーパ面とを含んで形成された構成がある（例えば、特許文献２参照。）。
【先行技術文献】
【特許文献】
【０００４】
【特許文献１】特開２００９−１８７８７４号公報
【特許文献２】特開２００９−１５８２７４号公報
【発明の概要】
【発明が解決しようとする課題】
【０００５】
しかしながら、前述の様な構成では、容易に組み立てることが困難であるという問題があった。
【０００６】
そこで、本発明は前述の技術的な課題に鑑み、簡便な構成により工具等を用いることなく容易に組み立てることができる光源装置の提供を目的とする。また、該光源装置を設けたバックライト装置の提供を目的とする。さらに、該バックライト装置を設けた表示装置の提供を目的とする。
【課題を解決するための手段】
【０００７】
前述の課題を解決すべく、本発明の第１の態様に係る光源装置は、光を発する光源ユニットと、前記光源ユニットを収納する筐体と、前記光源ユニットを前記筐体に固定する固定部材とを有し、前記固定部材は、前記光源ユニットに形成された第１連結部と係留する第１係留部及び前記筐体に形成された第２連結部と係留する第２係留部を備え、前記第２係留部は、前記固定部材の側面部に一部の角が落とされた円柱状の突起として形成され、前記第２連結部は、前記筐体の一端側の側部に半円形状の切欠部として形成されていることを特徴とする。
【０００８】
また、前述の課題を解決すべく、本発明の第２の態様に係るバックライト装置は、第１の態様に係る光源装置と、前記光源装置に隣接し、側面から入射された前記光源装置の光を主面から導出する導光部材とを有することを特徴とする。
【０００９】
また、前述の課題を解決すべく、本発明の第３の態様に係る表示装置は、第２の態様に係るバックライト装置と、前記導光板の主面の両側又は片側に積層され、所定の情報が表示された表示部材とを有することを特徴とする。
【００１０】
また、前述の課題を解決すべく、本発明の第４の態様に係る固定部材は、保持部材に搭載された光源を当該保持部材と共に筐体に固定するために当該筺体に装着される固定部材であって、前記筺体への装着時に当該筺体の当接面が当接する平面を備えた保持部と、前記保持部の前記平面から前記筺体への挿入方向に延びた一対の係留部と、前記係留部の上面の少なくとも一部より立設された一対の対向する側面部と、を備え、前記係留部は、前記筺体への装着時に前記光源を保持する前記保持部材に係留される、台形台形状の突起として形成された第１係留部を有しており、前記側面部には、前記筺体への装着時に前記筺体に係留される、一部の角が落とされた円柱状の突起として形成された第２係留部を有していることを特徴とする。
【発明の効果】
【００１１】
本発明に係る光源装置、バックライト装置、表示装置は、簡便な構成により工具等を用いることなく容易に組み立てることができる。さらに、本発明に係る固定部材は、光源装置等の機器への装着後においても容易に脱着することが可能である。
【図面の簡単な説明】
【００１２】
【図１】本発明の第１の実施形態に係る光源装置を示す斜視図である。
【図２】本発明の第１の実施形態に係る光源装置を構成部材毎に分解して示す斜視図であり、図１に対応している。
【図３】本発明の第１の実施形態に係る光源装置を構成する光源ユニットを示す斜視図であり、（ａ）は光源と基板及び保持部材を一体にした状態で示す斜視図、（ｂ）は光源を配設した基板と該基板を積層して保持する保持部材とを分離した状態で示す斜視図であり、図１に対応している。
【図４】本発明の第１の実施形態に係る光源装置を構成する光源ユニットの保持部材を示す斜視図であり、（ａ）は基板を片面に保持可能な保持部材を示す斜視図、（ｂ）は異なる幅の基板を両面のいずれかの面に保持可能な保持部材を示す斜視図であり、図１に対応している。
【図５】本発明の第１の実施形態に係る光源装置を構成する筐体を示す図であり、（ａ）は筐体の一部を斜視図で示す図、（ｂ）は筐体を側面図で示す図であり、図１に対応している。
【図６】本発明の第１の実施形態に係る光源装置を構成する固定部材を示す図であり、（ａ）は固定部材を一方から斜視図で示す図、（ｂ）は固定部材を一方に対向した他方から斜視図で示す図、（ｃ）は固定部材を所定の方向から斜視図で示す図、（ｄ）は固定部材を側面図で示す図であり、図１に対応している。
【図７】本発明の第１の実施形態に係る光源装置を構成する固定部材を光源ユニットに係留する状態を示す模式図であり、固定部材を光源ユニットに係留する前の状態を示す模式図、固定部材を光源ユニットに係留した後の状態を示す模式図であり、図１に対応している。
【図８】本発明の第１の実施形態に係る光源装置を構成する固定部材を筐体に係留する状態を示す模式図であり、固定部材を筐体に係留する前の状態を示す模式図、固定部材を筐体に係留した後の状態を示す模式図であり、図１に対応している。
【図９】本発明の第２の実施形態に係るバックライト装置を示す斜視図である。
【図１０】本発明の第２の実施形態に係るバックライト装置の一部を拡大して示す斜視図であり、図９に対応している。
【図１１】本発明の第３の実施形態に係る表示装置を示す斜視図である。
【図１２】本発明の第３の実施形態に係る表示装置の一部を拡大して示す斜視図であり、図１１に対応している。
【図１３】（ａ）は本発明の第４の実施形態に係る光源装置が採用する固定部材を斜め上方から見た斜視図、（ｂ）は当該固定部材を斜め下方からみた斜視図、（ｃ）は当該固定部材を筺体への挿入方向から見た正面図、（ｄ）は当該固定部材を側方から見た側面図である。
【図１４】（ａ）は本発明の第４の実施形態に係る光源装置が採用する筺体の斜視図、（ｂ）は当該筺体の断面図である。
【図１５】（ａ），（ｂ）は、本発明の第４の実施形態に係る光源装置を構成する固定部材を光源ユニットに係留する状態を示す図である。
【発明を実施するための形態】
【００１３】
以下、本発明の光源装置１，４、バックライト装置２、表示装置３、及びこれらに用いられる固定部材６０に係る好適な実施形態について、図面を参照しながら説明する。なお、本発明の光源装置１，４、バックライト装置２、表示装置３、及びこれらに用いられる固定部材６０は、以下の記述に限定されるものではなく、本発明の要旨を逸脱しない範囲において、適宜変更可能である。以下の記述において、本発明の光源装置１，４、バックライト装置２、表示装置３、及びこれらに用いられる固定部材６０を構成する各構成部材の材質及び形状等は一例であり、他の材質及び形状等に適宜変更可能である。
【００１４】
また、以下の説明においては、最初に本発明の第１の実施形態に係る光源装置１について図１乃至図８を参照しながら説明する。次に本発明の第２の実施形態に係るバックライト装置２について図９及び図１０を参照しながら説明する。次に本発明の第３の実施形態に係る表示装置３について図１１及び図１２を参照しながら説明する。また本発明の第２の実施形態に係るバックライト装置２及び第３の実施形態に係る表示装置３にそれぞれ設けられた導光部材４０の製造方法について説明する。また本発明の第４の実施形態に係る固定部材６０及びそれを用いた光源装置４について図１３乃至図１５を参照して説明する。最後に本発明の第１乃至第３の実施形態に係る光源装置１、バックライト装置２及び表示装置３の構成と主な作用効果について請求項毎に説明する。
【００１５】
［第１の実施形態］
以下、本発明の第１の実施形態に係る光源装置１について、図１乃至図８を参照しながら、具体的に説明する。
【００１６】
なお、本発明の第１の実施形態に係る光源装置１は、図２に示すように、光源ユニット１０、筐体２０及び固定部材３０から構成されている。そこで、光源装置１の各構成について、順に説明する。
【００１７】
光源装置１を構成する光源ユニット１０は、図３に示すように、光を発する光源１１を設けている。
この様な光源ユニット１０は、光源１１、基板１２、保持部材１３及び配線１４から構成されている。
以下、光源ユニット１０を構成する各部材について、順に説明する。光源ユニット１０の光源１１は、発光ダイオード（ＬＥＤ：Ｌｉｇｈｔ  Ｅｍｉｔｔｉｎｇ  Ｄｉｏｄｅ）から成る。また、光源１１は、白色、赤色、橙色、黄色、緑色、青色、藍色又は紫色のいずれかの色若しくはそれらの色の組み合わせから成るＬＥＤで構成する。また、光源１１は、紫外域又は赤外域の光を発するＬＥＤで構成しても良い。この様な光源１１は、後述する基板１２に、所定の間隔で複数個配列されている。なお、光源１１は、ＬＥＤに限定されることはなく、有機発光ダイオード、蛍光管、冷陰極管、白熱電球又はネオン管等で構成しても良い。また、光源ユニット１０の基板１２は、板状に形成されたガラスエポキシ基板から成る。この様な基板１２の上部に形成された実装面１２ａに、光源１１を所定の間隔で複数配設されている。
【００１８】
また、光源ユニット１０に関し、保持部材１３は、アルミニウム又は銅の合金から成り、両端に基板１２を位置決めする直線状の凸部を設けた板状部から形成され、基板１２を積層して保持する。この様な保持部材１３は、放熱部材としても機能する。また、保持部材１３は、表面が平滑な金属板から成ることから、後述する筐体２０の内部に収納する場合に、載置面２０ｂ等で引っ掛かることが無く、容易に抜き差しすることができる。なお、保持部材１３の上部に形成された積層面１３ｂに、両面テープと貼り付け又は接着剤を塗布した状態で、基板１２を接合した状態で積層して保持する。また、保持部材１３には、後述する固定部材３０に形成された係留部３１の第１係留部３１ａが係留される第１連結部１３ａが、形成されている。具体的には、保持部材１３の第１連結部１３ａは、保持部材１３の側部１３ｃの一端に切欠状に形成されている。なお、保持部材１３の第１連結部１３ａは、切欠状に限定されることはなく、穴状であっても良く、又は突起状であっても良い。ここで、保持部材１３を設けず、基板１２に図示せぬ第１連結部を形成し、後述する固定部材３０に形成された係留部３１の第１係留部３１ａを係留させる構成としても良い。また、光源ユニット１０の配線１４は、外部から駆動電力が供給される配線であり、基板１２の実装面１２ａに設けられた電極１２ｂに半田付けされた上で、断線防止用の樹脂がモールドされている。
【００１９】
また、光源ユニット１０に関し、図４（ａ）に示す片面に形成された積層面１３ｂに対して基板１２を保持する保持部材１３に限定されることはなく、図４（ｂ）に示す対向して形成された積層面１５ｂ又は積層面１５ｄのいずれかに対して異なる幅の基板１２を保持する保持部材１５を用いる構成としても良い。具体的には、幅が８ｍｍの基板１２を用いる場合には保持部材１５の積層面１５ｂに実装し、幅が６ｍｍの基板１２を用いる場合には保持部材１５の積層面１５ｄに実装する。
【００２０】
光源装置１を構成する筐体２０は、図２に示すように、光源ユニット１０を収納する。この様な筐体２０は、断面がコの字で板状に形成されたアルミニウム合金の金属板から成る。ここで、筐体２０の内部の下方に形成された載置面２０ｂに、光源ユニット１０を載置して収納する。また、筐体２０には、第２連結部２０ａが形成され、後述する固定部材３０に形成された係留部３１の第２係留部３１ｂが係留される。具体的には、筐体２０の第２連結部２０ａは、筐体２０の側部２０ｃの一端に穴状に形成されている。なお、筐体２０の第２連結部２０ａは、穴状に限定されることはなく、切欠状であっても良く、又は突起状であっても良い。ここで、筐体２０の内部の両側に形成された保持部２０ｄに、例えば後述するバックライト装置２を構成する導光部材４０を保持する。
【００２１】
光源装置１を構成する固定部材３０は、図２に示すように、光源ユニット１０を筐体２０に固定する。
この様な固定部材３０は、ポリカーボネイトから成り、複数の凹凸及び開口孔が設けられた長方体から形成されている。ここで、図６に示す固定部材３０の係留部３１の第１係留部３１ａが、光源ユニット１０の第１連結部１３ａに係留される。同様に、固定部材３０の係留部３１の第２係留部３１ｂが、筐体２０の第２連結部２０ａに係留される。具体的には、固定部材３０の係留部３１は、一対から成り、該固定部材３０の一面３０ｐから所定の間隔を設けて突起状に突出して形成されている。さらに、光源ユニット１０の第１連結部１３ａに係留される第１係留部３１ａが、固定部材３０に形成された一対の係留部３１の下部に対して、台形台から成る突起状に形成されている。同様に、筐体２０の第２連結部２０ａに係留される第２係留部３１ｂが、固定部材３０に形成された一対の係留部３１の側部に対して、円柱から成る突起状に形成されている。なお、固定部材３０の係留部３１に形成された第１係留部３１ａ及び第２係留部３１ｂは、突起状に限定されることはなく、切欠状であっても良く、又は穴状であっても良い。
【００２２】
また、固定部材３０に関し、該固定部材３０の一面３０ｐに板状に突起して形成された載置部３０ｑに、光源ユニット１０の保持部材１３の下部を、載置して保持する。また、固定部材３０に一対の円筒状に開口された配線孔３０ｒに、光源ユニット１０の配線１４が挿通される。ここで、固定部材３０は、光源ユニット１０及び筐体２０の一端に設けられるが、この構成に限定されることはなく、光源ユニット１０及び筐体２０の両端に設ける構成としても良い。なお、固定部材３０を光源ユニット１０及び筐体２０の一端のみに設ける構成とする場合には、光源ユニット１０及び筐体２０の他端に図示せぬ密閉蓋を設ける構成としても良い。
【００２３】
ここで、光源装置１の組み立て方法について、図７及び図８を参照しながら説明する。先ず、図７に示すように、固定部材３０に一対の円筒状に開口された配線孔３０ｒに光源ユニット１０の配線１４が挿通された状態で、光源ユニット１０の保持部材１３に形成された切欠状から成る一対の第１連結部１３ａに、固定部材３０の係留部３１に形成された突起状から成る一対の第１係留部３１ａを係留する。次に、図８に示すように、光源ユニット１０が筐体２０に挿入された状態で、筐体２０に形成された穴状から成る一対の第２連結部２０ａに、固定部材３０の係留部３１に形成された突起状から成る一対の第２係留部３１ｂを係留する。したがって、光源装置１を構成する光源ユニット１０と筐体２０及び固定部材３０は、工具を用いることなく容易に組み立てすることができ、且つ工具を用いることなく分解することが可能である。
【００２４】
以上、本発明の第１の実施形態に係る光源装置１によれば、簡便な構成により工具等を用いることなく容易に組み立てることができる。具体的には、例えば光源ユニット１０を交換する場合に、作業者に負担が掛からない。また、特別な技能が無くても、例えば光源ユニット１０を交換することができる。したがって、光源ユニット１０の寿命により該光源ユニット１０を交換する場合に限らず、例えば発光色を変えたい場合にも、気軽に交換することができる。また、本発明の第１の実施形態に係る光源装置１によれば、光源ユニット１０及び筐体２０を任意の長さで切断した後に、固定部材３０を用いて係留することもできる。
【００２５】
また、本発明の第１の実施形態に係る光源装置１によれば、光源ユニット１０を、光源１１及び該光源１１を配設する基板１２から構成し、該基板１２に第１連結部を形成する構成とすることができる。同様に、光源ユニット１０を、光源１１、該光源１１を配設する基板１２及び該基板１２を積層して保持する保持部材１３から構成し、該保持部材１３に第１連結部１３ａを形成する構成とすることができる。この様な本発明の第１の実施形態に係る光源装置１によれば、固定部材３０を光源ユニット１０に対して簡便に短時間で固定することができる。さらに、複数回着脱して固定した場合に、固定部材３０と光源ユニット１０との位置の再現性を十分に保つことができる。
【００２６】
また、本発明の第１の実施形態に係る光源装置１によれば、固定部材３０の係留部３１を突起状で形成し、光源ユニット１０の第１連結部１３ａ及び筐体２０の第２連結部２０ａを穴状又は切欠状に形成する構成とすることができる。同様に、固定部材３０の係留部３１を穴状又は切欠状で形成し、光源ユニット１０の第１連結部１３ａ及び筐体２０の第２連結部２０ａを突起状で形成する構成とすることができる。この様な本発明の第１の実施形態に係る光源装置１によれば、非常に簡便な構成により、固定部材３０を光源ユニット１０に対して着脱可能に係留して固定することができる。
【００２７】
さらに、本発明の第１の実施形態に係る光源装置１によれば、固定部材３０の係留部３１の第１係留部３１ａが光源ユニット１０の第１連結部１３ａに係留された状態で、光源ユニット１０が筐体２０に挿入され、固定部材３０の係留部３１の第２係留部３１ｂが筐体２０の第２連結部２０ａに係留される構成とすることができる。この様な本発明の第１の実施形態に係る光源装置１によれば、工具を用いることなく短時間で容易に組み立てすることができ、且つ工具を用いることなく分解することができる。
【００２８】
また、本発明の第１の実施形態に係る光源装置１によれば、固定部材３０の配線孔３０ｒに、光源ユニット１０に設けられ外部から駆動電力が供給される配線１４を挿通する構成とすることができる。この様な本発明の第１の実施形態に係る光源装置１によれば、固定部材３０を光源ユニット１０に対して係留して固定する場合に、該光源ユニット１０の配線１４が他の構成部材と干渉することを防止できる。また、固定部材３０を用いて配線１４の断線を防止することができる。
【００２９】
［第２の実施形態］
以下、本発明の第２の実施形態に係るバックライト装置２について、図９及び図１０を参照しながら、具体的に説明する。
【００３０】
なお、本発明の第２の実施形態に係るバックライト装置２は、図９に示すように、側面から入射された光源装置１の光を主面から導出する導光部材４０を有していることに特徴を有している。また、それ以外の第２の実施形態に係る構成は、第１の実施形態で述べた構成と同様である。そこで、第２の実施形態においては、第１の実施形態と異なる導光部材４０の構成について中心に説明する。
【００３１】
バックライト装置２を構成する導光部材４０は、図９に示すように、光源装置１に隣接し、側面から入射された光源装置１の光を主面から導出する。ここで、導光部材４０は、導光板に相当し、アクリル酸又はメタクリル酸を重合して形成したアクリル樹脂又はポリカーボネイト等、透明な樹脂板から成る。また、導光部材４０は、着色された半透明の樹脂板を用いても良い。さらに、導光部材４０には、光を照射されることにより拡散光を発する微粒子状の拡散部材を添加した樹脂板を用いても良い。同様に、導光部材４０には、紫外域や可視域の光を照射されることにより蛍光を発する蛍光剤を塗布又は添加した樹脂板を用いても良い。
【００３２】
また、導光部材４０の構成に関し、該導光部材４０は、図９及び図１０に示すように、凹部又は凸部が所定の間隔でマトリクス状に配列されている。ここで、導光部材４０の側面４０ａを介して、光源ユニット１０の光源１１の光が、該導光部材４０の内部に導光される。また、導光部材４０の主面である一主面４０ｂに、光源ユニット１０の光源１１から照射された光を拡散光として導出させる凹部４０ｃが形成されている。同様に、導光部材４０の一主面４０ｂに対向した主面である他主面４０ｄに、光源ユニット１０の光源１１から照射された光を拡散光として導出させる凹部４０ｅが形成されている。
【００３３】
また、導光部材４０の構成に関し、図１０に示すように、導光部材４０の一主面４０ｂに形成された複数の凹部４０ｃで発生した拡散光の大部分は、略均一な面発光の光として導光部材４０の他主面４０ｄから導出される。同様に、導光部材４０の他主面４０ｄに形成された複数の凹部４０ｅで発生した拡散光の大部分は、略均一な面発光の光として導光部材４０の一主面４０ｂから導出される。また、導光部材４０の一主面４０ｂの凹部４０ｃ及び他主面４０ｄの凹部４０ｅの深さが、光源ユニット１０の光が入射される導光部材４０の側面４０ａから離間する毎に深くなるように形成しても良い。ここで、導光部材４０の側面４０ａから光源ユニット１０の光源１１の光が入射されると、導光部材４０の側面４０ａから離間する毎に伝播する光の光量が減少するが、導光部材４０の側面４０ａから離間しても凹部で発生する拡散光の光量の減少を抑制することができる。したがって、導光部材４０の側面４０ａからの距離によらず、導光部材４０の一主面４０ｂ及び他主面４０ｄから均一な面発光が導出される。この様な導光部材４０は、該導光部材４０の側面４０ａから離間する毎に伝播する光の光量が大きく減少する場合に有効な構成である。
【００３４】
以上、本発明の第２の実施形態に係るバックライト装置２によれば、第１の実施形態に係る簡便な構成により工具等を用いることなく容易に組み立てることができる光源装置１を設け、導光部材４０を介して所定の対象物を発光させることができる。
【００３５】
さらに、本発明の第２の実施形態に係るバックライト装置２によれば、導光部材４０の主面に、側面から入射された光源装置１の光を拡散光として導出させる凹部、凸部、又はそれらを組み合わせたものを複数形成したものを用いる構成とすることができる。この様な本発明の第１の実施形態に係るバックライト装置２によれば、図１０に示すように、導光部材４０の一主面４０ｂに形成された複数の凹部４０ｃで発生した拡散光の大部分を、略均一な面発光の光として導光部材４０の他主面４０ｄから導出させることができる。同様に、導光部材４０の他主面４０ｄに形成された複数の凹部４０ｅで発生した拡散光の大部分を、略均一な面発光の光として導光部材４０の一主面４０ｂから導出させることができる。
【００３６】
また、本発明の第２の実施形態に係るバックライト装置２によれば、光源装置１の筐体２０に、導光部材４０を保持する保持部２０ｄを設ける構成とすることができる。この様な本発明の第１の実施形態に係るバックライト装置２によれば、図５に示す筐体２０の内部の両側に形成された保持部２０ｄに、図９に示すバックライト装置２を構成する導光部材４０を保持することにより、導光部材４０の側面４０ａと光源ユニット１０の光源１１とを所定の距離だけ離間させた状態で、配設することができる。
【００３７】
［第３の実施形態］
以下、本発明の第３の実施形態に係る表示装置３について、図１１及び図１２を参照しながら、具体的に説明する。
【００３８】
なお、本発明の第２の実施形態に係る表示装置３は、図１１に示すように、所定の情報が表示された表示部材５０を有していることに特徴を有している。また、それ以外の第３の実施形態に係る構成は、第２の実施形態で述べた構成と同様である。そこで、第３の実施形態においては、第２の実施形態と異なる表示部材５０の構成について中心に説明する。
【００３９】
表示装置３を構成する表示部材５０は、図１１に示すように、導光板４０の主面の両側又は片側に積層され、所定の情報が表示されている。ここで、表示部材５０は、「○□」から成る情報を表示している。なお、「○□」から成る情報は、「トイレ」又は「避難場所」等に相当する。また、表示部材５０は、乳半板等から成る。なお、表示部材５０を基材及び粘着材から形成し、軟性材を介して導光部材４０に密着する構成としても良い。また、表示部材５０を、材質が異なる２個以上の部材から構成しても良い。具体的には、表示部材５０を、塩化ビニルシート及びメタクリル樹脂板から構成しても良い。同様に、表示部材５０を、ポリ塩化ビニルシート、ポリカーボネイト樹脂板、ポリ塩化ビニルシートから構成しても良い。ここで、ポリカーボネイト樹脂板は難燃性であるため、万一、天井等から吊り下げられて設置された装置の構成部材が燃焼して溶けた場合でも、通行人や床面に垂れることを防止できる。なお、表示部材５０を構成するポリ塩化ビニルシートに換えて、ポリエチレンテレフタレート又はポリプロピレンを用いても良い。
【００４０】
以上、本発明の第３の実施形態に係る表示装置３によれば、第２の実施形態に係るバックライト装置２を設け、表示部材５０により所定の情報を報知することができる。
【００４１】
また、本発明の第２の実施形態に係るバックライト装置２及び第３の実施形態に係る表示装置３にそれぞれ設けられた導光部材４０の製造方法について、具体的に説明する。
【００４２】
導光部材４０に相当する導光板の製造方法には、超音波加工、加熱加工、切削加工、レーザ加工、成型加工及びシルク印刷加工を用いることができる。したがって、導光板の仕様やコスト及び必要数量等に応じて、各加工方法を選択することにより、凹部又は凸部を導光板の各面に精度良く安定的に形成することができる。以下、導光板の製造方法について詳細に説明する。超音波加工では、導光板の各面に当接させた超音波加工用ホーンの超音波の振動を用いて、導光板の各面を部分的に溶融させることにより、該各面に凹部を形成する。また、加熱加工では、導光板の各面に当接させた加工具の熱を用いて、導光板の各面を部分的に溶融させることにより、該各面に凹部を形成する。同様に、切削加工では、導光板の各面に当接しながら回転又は付勢させた切削工具を用いて、導光板の各面を部分的に削り取ることにより、該各面に凹部を形成する。同様に、レーザ加工では、導光板の各面に集光させたレーザ光の熱を用いて、導光板の各面を部分的に溶融させることにより、該各面に凹部を形成する。同様に、成型加工では、成型する導光板の外形形状を反映させた形状を金型の内部に形成し、射出成型機に装着した金型に対して加熱して軟化させた樹脂を注入してから、該樹脂を冷却させることにより、導光板の各面に凹部、凸部又は凹状及び凸部を形成する。
【００４３】
また、導光部材４０に相当する導光板の製造方法に関し、シルク印刷加工では、導光板の各面に対して所定の孔が開口した版を当接させ、孔を介して硬化性の樹脂を各面に付着させて、該各面を部分的に樹脂で被覆させることにより、該各面に凸部を形成する。また、成型加工又はシルク印刷加工に用いる導光板の基材である樹脂に、拡散光を発する微粒子状の拡散部材を添加しても良い。同様に、上述した超音波加工、加熱加工、切削加工又はレーザ加工を行う導光板の基材である樹脂に、拡散光を発する微粒子状の拡散部材を添加したものを用いても良い。なお、上述した超音波加工、加熱加工、切削加工、レーザ加工、成型加工及びシルク印刷加工を組み合わせて導光板を形成しても良い。具体的には、成型加工により導光板の外形形状のみを形成した上で、超音波加工により導光板の各面に凹部を形成しても良い。同様に、成型加工により導光板の外形形状のみを形成した上で、シルク印刷加工により導光板の各面に凸部を形成しても良い。
【００４４】
［第４の実施形態］
以下、図１３乃至図１５を参照しつつ、本発明の第４の実施形態に係る固定部材、及びそれを用いた光源装置について詳細に説明する。この第４の実施形態に係る固定部材６０を用いた光源装置４は、第１の実施形態に係る光源装置の変形例に相当するものである。そこで、以下では、図１乃至図８と同一構成については同一符号を用いて重複した説明は省略する。この光源装置４は、光源ユニット１０、固定部材６０、筐体７０からなる。
【００４５】
光源装置４を構成する光源ユニット１０は、先に図３に示した構成と略同じであり、ここでも、光源１１、基板１２、保持部材１３及び配線１４から構成されている。各部の構成及び作用効果については前述した通りであるので、ここでは説明を省略する。
【００４６】
固定部材６０の構成は、図１３（ａ）乃至（ｄ）に示される。即ち、図１３（ａ）は当該固定部材６０を斜め上方から見た斜視図、図１３（ｂ）は当該固定部材６０を斜め下方からみた斜視図、図１３（ｃ）は当該固定部材６０を筺体７０への挿入方向から見た正面図、図１３（ｄ）は当該固定部材６０を側方から見た側面図、をそれぞれ示している。固定部材６０は、光源ユニット１０を筺体７０に固定するためのものであり、例えば、ナイロン６６（ガラス入り）から成り、複数の凹凸及び開口孔が設けられた多角形状となっている。尚、ナイロン６６は、完全人工合成による合成繊維である。
【００４７】
これらの図に示されるように、固定部材６０は、筺体７０への装着時に当該筺体７０の後述する当接面７０ｅが当接する平面６５ａを備えた保持部６５を有している。更に、固定部材６０は、保持部６５の平面６５ａから筺体７０への挿入方向に延びた一対の係留部６１を備えており、当該係留部６１の下面には略台形台からなる突起状の第１係留部６１ａが形成されている。この第１係留部６１ａは、筺体７０への装着時に光源ユニット１０の保持部材１３の第１連結部１３ａに係留される。さらに、固定部材６０は係留部６１の上面の少なくとも一部より立設された一対の対向した側面部６２を備えており、当該側面部６２では、第２係留部６２ａが外側に向けて突起状に形成されている。この例では、第２係留部６２ａ例えば、略半分だけ所定の傾斜角で角が落とされた略円柱形状とされている。但し、この形状には限定されない。この第２係留部６２ａは、筺体７０への装着時に筺体７０の後述する第２連結部７０ａに係留される。ここで、第２係留部６２ａの角の一部が落とされているのは、筺体７０への装着の便宜を図ったものである。また、固定部材６０は、係留部６１の下方において、平面６５ａから当該係留部６１よりも短かく延出した当接部６３を有しており、当該当接部６３は筺体７０への装着時に光源ユニット１０の保持部材１３の平面１３ｄが当接する当接面６３ａを備えている。さらに、固定部材６０は、背面部６４を備えており、当該背面部６４には光源ユニット１０の配線１４が挿通される一対の円筒状の開口部、即ち配線孔６４ａが設けられている。このような構成の下、固定部材６０は、筺体７０への装着時には、保持部６５の筺体部７０への挿入方向の幅（図１３（ｄ）中、"ａ"で示す）だけしか突出しないので、装置全体の小型化も図れる。
【００４８】
ここで、固定部材６０は、光源ユニット１０及び筐体７０の一端に設けられるが、この構成に限定されることはなく、光源ユニット１０及び筐体７０の両端に設ける構成としても良い。なお、固定部材６０を光源ユニット１０及び筐体７０の一端のみに設ける構成とする場合には、光源ユニット１０及び筐体７０の他端に不図示の密閉蓋を設ける構成としても良い。
【００４９】
一方、筺体７０の構成は図１４（ａ），（ｂ）に示される通りである。即ち、図１４（ａ）は筺体７０の斜視図、図１４（ｂ）は筺体７０の断面図、をそれぞれ示している。この筺体７０は、光源ユニット１０を収納するためのものであり、断面が略コの字状に形成されたアルミニウム合金等の金属板から成る。但し、これには限定されない。その下方に、光源ユニット１０を載置ための載置面７０ｂを備えている。更に、筺体７０の各側面部７０ｃには、固定部材６０の第２係留部６２ａ係留されるための第２連結部７０ａが設けられている。この例では、この第２連結部７０ａは、筺体７０の上面から下方に半円筒形状に切り欠いたような形状となっているが、これには限定されない。筺体７０には、バックライト装置２を構成する場合に、導光部材４０を保持する一対の保持部７０ｄも備えている。このような構成において、保持部７０ｄの上には導光部材４０が置かれ保持される。さらに、筺体７０は、固定部材６０の保持部６５の平面６５ａに当接する当接面７０ｅを備えている。固定部材６０の装着時にはこの当節面７０ｅが固定部材６０の保持部６５の平面６５ａに当接するので、ぶれることなく状態が保持されることになる。
【００５０】
ここで、図１５（ａ），（ｂ）を参照して、光源装置４の組み立て方法について説明する。尚、ここでは説明の便宜上、導光板部材４０も図示している。固定部材６０に一対の円筒状に開口された配線孔６４ａに光源ユニット１０の配線１４が挿通された状態で、光源ユニット１０の保持部材１３に形成された切欠状から成る一対の第１連結部１３ａに、固定部材６０の係留部６１に形成された突起状から成る一対の第１係留部６１ａを係留する。次いで、光源ユニット１０が筐体７０に挿入された状態で、当該筐体７０の側面部７０ｃに形成された半穴状から成る一対の第２連結部７０ａに、固定部材６０の側面部６２に形成された突起状から成る一対の第２係留部６２ａを係留する。従って、光源装置を構成する光源ユニット１０と固定部材６０、筐体７０は、工具を用いることなく容易に組み立て、且つ分解することが可能である。さらに、固定部材６０の第２係留部６０ａが筺体７０の上面から下方に半円筒形状に切り欠いたような形状の第２連結部７０ａに係留される構成としたことから、構造物に組み込まれた状態でも固定部材６０を容易に着脱することが可能となっている。
【００５１】
以上、本発明の第４の実施形態に係る固定部材６０を用いた光源装置４は、簡便な構成により工具等を用いることなく容易に組み立てることができる。具体的には、例えば光源ユニット１０を交換する場合に、ラジオペンチ、プライヤー等の工具にて側面部６２を摘むことで第２連結部７０ａから第２係留部６２ａが外れることから、作業者に負担が掛からない。また、特別な技能が無くても、例えば光源ユニット１０を交換することができる。従って、光源ユニット１０の寿命により該光源ユニット１０を交換する場合に限られることなく、例えば発光色を変えたい場合にも、気軽に交換することができる。また、この固定部材６０を用いた光源装置４は、光源ユニット１０及び筐体７０を任意の長さで切断し、第２連結部７０ａをエンドミル等で溝加工した後に、当該固定部材６０を用いて係留することもできる。
【００５２】
さらに、本発明の第４の実施形態に係る固定部材６０を用いた光源装置４では、光源ユニット１０を、光源１１、該光源１１を配設する基板１２及び該基板１２を積層して保持する保持部材１３から構成して、該保持部材１３に第１連結部１３ａを形成する構成とすることができ、固定部材６０を光源ユニット１０に対して簡便に短時間で固定することができる。さらに、複数回着脱して固定した場合に、固定部材６０と光源ユニット１０との位置の再現性を十分に保つことができる。
【００５３】
また、本発明の第４の実施形態に係る固定部材６０を用いた光源装置４では、当該固定部材６０の第１係留部６１ａ、第２係留部６２ａを突起状に形成し、光源ユニット１０の第１連結部１３ａ及び筐体７０の第２連結部７０ａを切欠き又は溝状に形成する構成とすることができる。また、この逆の関係でもよい。つまり、非常に簡便な構成により、固定部材６０を光源ユニット１０に対して着脱可能に係留して固定することができる。
【００５４】
さらに、本発明の第４の実施形態に係る固定部材６０を用いた光源装置４では、当該固定部材６０の係留部６１の第１係留部６１ａが光源ユニット１０の第１連結部１３ａに係留された状態で、光源ユニット１０が筐体７０に挿入され、固定部材６０の側面部６２の第２係留部６２ａが筐体７０の第２連結部７０ａに係留される構成とすることができる。従って、工具を用いることなく短時間で容易に組み立てすることができ、且つ特殊な工具を用いることなく分解することができる。さらに、固定部材６０の第２係留部６０ａが筺体７０の上面から下方に半円筒形状に切り欠いたような形状となっていることから、構造物に組み込まれた状態でも固定部材６０を容易に着脱することが可能となっている。
【００５５】
また、本発明の第４の実施形態に係る固定部材６０を用いた光源装置４では、当該保持部材６０を配線孔６４ａに光源ユニット１０に設けられ外部から駆動電力が供給される配線１４を挿通する構成とすることができる。したがって、固定部材６０を光源ユニット１０に対して係留して固定する場合に、該光源ユニット１０の配線１４が他の構成部材と干渉することを防止できる。また、固定部材６０を用いて配線１４の断線を防止することができる。
【００５６】
さらに、本発明の第４の実施形態に係る保持部材６０では、保持部材１３に搭載された光源ユニット１０を当該保持部材１３と共に筐体７０に固定するために当該筺体７０に装着される固定部材６０であって、筺体７０への装着時に当該筺体７０の当接面７０ｅが当接する平面６５ａを備えた保持部６５と、保持部６５の前記平面６５ａから筺体７０への挿入方向に延びた一対の係留部６１と、一対の対向する側面部６２と、を備え、係留部６１に、筺体７０への装着時に光源ユニット１０を保持する保持部材１３に係留される第１係留部６１ａを有しており、側面部６２に、筺体７０への装着時に筺体７０に係留される第２係留部６２ａを有した構成とすることができる。
【００５７】
最後に、本発明の第１乃至第４の実施形態に係る光源装置１，４、バックライト装置２、表示装置３及びこれらに用いられる固定部材の構成と主な作用効果について、請求項毎に、具体的に説明する。
【００５８】
請求項１に記載の光源装置４は、光を発する光源ユニット１０と、光源ユニット１０を収納する筐体７０と、光源ユニット１０を筐体７０に固定する固定部材６０とを有し、固定部材６０は、光源ユニット１０に形成された第１連結部１３ａと係留する第１係留部６１ａ及び筐体７０に形成された第２連結部７０ａと係留する第２係留部６２ａを備え、第２係留部６２ａは、固定部材６０の側面部に一部の角が落とされた円柱状の突起として形成され、第２連結部７０ａは、筐体７０の一端側の側部に半円形状の切欠部として形成されていることを特徴としている。
【００５９】
この様な請求項１に記載の光源装置４によれば、簡便な構成により工具等を用いることなく容易に組み立てることができる。具体的には、請求項１に記載の光源装置４によれば、第２係留部６２ａは、固定部材７０の側面部に一部の角が落とされた円柱状の突起として形成され、第２連結部７０ａは、筐体７０の一端側の側部に半円形状の切欠部として形成されているため、
固定部材６０を光源ユニット１０に対して簡便に短時間で固定することができる。例えば光源ユニット１０を交換する場合に、作業者に負担が掛からない。また、特別な技能が無くても、例えば光源ユニット１０を交換することができる。したがって、光源ユニット１０の寿命により該光源ユニット１０を交換する場合に限らず、例えば発光色を変えたい場合にも、気軽に交換することができる。また、光源ユニット１０及び筐体７０を任意の長さで切断した後に、固定部材３０を用いて係留することもできる。
【００６０】
請求項２に記載の光源装置４は、請求項１に従属し、第１係留部６１ａは固定部材６０の下面側に突出する台形台形状の突起として形成され、第１連結部１３ａは、光源ユニット１０に切欠部として形成されていることを特徴としている。
【００６１】
この様な請求項２に記載の光源装置４によれば、第１連結部１３ａに、固定部材６０に形成された係留部６１の第１係留部６１ａを係留させることにより、固定部材６０を光源ユニット１０に対して簡便に短時間で固定することができる。さらに、複数回着脱して固定した場合に、固定部材６０と光源ユニット１０との位置の再現性を十分に保つことができる。
【００６２】
請求項３に記載の光源装置１は、請求項１又は請求項２に従属し、光源ユニット１０は、光源１１、該光源１１を配設する基板１２及び該基板１２を積層して保持する保持部材１３を設け、該保持部材１３の側部の一端側に切欠部である第１連結部１３ａが形成されていることを特徴としている。
【００６３】
この様な請求項３に記載の光源装置４によれば、保持部材１３に形成された第１連結部１３ａに、固定部材６０に形成された係留部６１の第１係留部６１ａを係留させることにより、固定部材６０を光源ユニット１０に対して簡便に短時間で固定することができる。さらに、複数回着脱して固定した場合に、固定部材６０と光源ユニット１０との位置の再現性を十分に保つことができる。
【００６４】
請求項４に記載の光源装置１は、請求項３に従属し、保持部材１３は、光源からの熱を放出する放熱部材にて形成されていることを特徴としている。
【００６５】
この様な請求項４に記載の光源装置４によれば、光源ユニット１０から発せられる熱を効率よく放熱することができる。
【００６６】
請求項５に記載の光源装置１は、請求項１に従属し、固定部材６０の係留部６１の第１係留部６１ａが、光源ユニット１０の第１連結部１３ａに係留された状態で、光源ユニット１０が、筐体７０に挿入され、固定部材６０の係留部６１の第２係留部６２ａが、筐体７０の第２連結部７０ａに係留されていることを特徴としている。
【００６７】
この様な請求項５に記載の光源装置４によれば、工具を用いることなく短時間で容易に組み立てすることができ、且つ工具を用いることなく分解することができる。
【００６８】
請求項６に記載の光源装置４は、請求項１に従属し、固定部材６０は、光源ユニット１０に設けられ外部から駆動電力が供給される配線１４を挿通していることを特徴としている。
【００６９】
この様な請求項６に記載の光源装置４によれば、固定部材６０を光源ユニット１０に対して係留して固定する場合に、該光源ユニット１０の配線１４が他の構成部材と干渉することを防止できる。また、固定部材６０を用いて配線１４の断線を防止することができる。
【００７０】
請求項７に記載のバックライト装置２は、請求項１に記載の光源装置４と、光源装置４に隣接し、側面から入射された光源装置４の光を主面から導出する導光部材４０とを有することを特徴としている。
【００７１】
この様な請求項７に記載のバックライト装置２によれば、簡便な構成により工具等を用いることなく容易に組み立てることができる光源装置４を設け、導光部材４０を介して所定の対象物を発光させることができる。
【００７２】
請求項８に記載のバックライト装置２は、請求項７に従属し、導光部材４０の主面に、側面から入射された光源装置４の光を拡散光として導出させる凹部、凸部、又はそれらを組み合わせたものが複数形成されていることを特徴としている。
【００７３】
この様な請求項８に記載のバックライト装置２によれば、図１０に示すように、導光部材４０の一主面４０ｂに形成された複数の凹部４０ｃで発生した拡散光の大部分を、略均一な面発光の光として導光部材４０の他主面４０ｄから導出させることができる。同様に、導光部材４０の他主面４０ｄに形成された複数の凹部４０ｅで発生した拡散光の大部分を、略均一な面発光の光として導光部材４０の一主面４０ｂから導出させることができる。
【００７４】
請求項９に記載のバックライト装置２は、請求項７に従属し、光源装置４の筐体７０に、導光部材４０を保持する保持部７０ｄが形成されていることを特徴としている。
【００７５】
この様な請求項９に記載のバックライト装置２によれば、図１４に示す筐体７０の内部の両側に形成された保持部７０ｄに、図９に示すバックライト装置２を構成する導光部材４０を保持することにより、導光部材４０の側面４０ａと光源ユニット１０の光源１１とを所定の距離だけ離間させた状態で、配設することができる。
【００７６】
請求項１０に記載の表示装置３は、請求項７に記載のバックライト装置２と、導光板４０の主面の両側又は片側に積層され、所定の情報が表示された表示部材５０とを有することを特徴としている。
【００７７】
この様な請求項１０に記載の表示装置３によれば、バックライト装置２を設け、表示部材５０により所定の情報を報知することができる。
【００７８】
請求項１１に記載の固定部材６０は、保持部材１３に搭載された光源１１を当該保持部材１３と共に筐体７０に固定するために当該筺体７０に装着される固定部材６０であって、前記筺体７０への装着時に当該筺体７０の当接面７０ｅが当接する平面６５ａを備えた保持部６５と、前記保持部６５の前記平面６５ａから前記筺体７０への挿入方向に延びた一対の係留部６１と、前記係留部６１の上面の少なくとも一部より立設された一対の対向する側面部６２と、を備え、前記係留部６１に、前記筺体７０への装着時に前記光源１１を保持する前記保持部材１３に係留される、台形台形状の突起として形成された第１係留部６１ａを有しており、前記側面部６２に、前記筺体７０への装着時に前記筺体７０に係留される、一部の角が落とされた円柱状の突起として形成された第２係留部６２ａを有していることを特徴としている。
【００７９】
この様な請求項１１に記載の固定部材６０では、筺体７０への装着時に保持部６５の幅だけしか突出しないので、装置全体の小型化に寄与することができる。また、筺体７０への装着後においても、つまり機器への組み込み後においても、簡易且つ迅速に着脱することができる。
【００８０】
この他、請求項１２に記載の固定部材６０は、請求項１１に従属し、背面部を更に備えており、背面部には前記光源１１の配線が挿通される一対の開口部が設けられていることを特徴とする。
【００８１】
このような請求項１２に記載の固定部材６０では、固定部材６０を光源１１に対して係留して固定する場合に、該光源１１の配線１４が他の構成部材と干渉することを防止できる。また、固定部材６０を用いて配線１４の断線を防止することができる。
【符号の説明】
【００８２】
１  光源装置
２  バックライト装置
３  表示装置
４  光源装置
１０  光源ユニット
１１  光源
１２  基板
１２ａ  実装面
１２ｂ  電極
１３，１５  保持部材
１３ａ  第１連結部
１３ｂ，１５ｂ，１５ｄ  積層面
１３ｃ  側部
１４  配線
２０  筐体
２０ａ  第２連結部
２０ｂ  載置面
２０ｃ  側部
２０ｄ  保持部
３０  固定部材  
３０ｐ  一面
３０ｑ  載置部
３０ｒ  配線孔
３１  係留部
３１ａ  第１係留部
３１ｂ  第２係留部
４０  導光部材
４０  導光板
４０ａ  側面
４０ｂ  一主面
４０ｃ，４０ｅ  凹部
４０ｄ  他主面
５０  表示部材
６０  固定部材
６１  係留部
６１ａ  第１係留部
６２  側面部
６２ａ  第２係留部
６３  当接部
６３ａ  当接面
６４  背面部
６４ａ  配線孔
６５  保持部
６５ａ  平面
７０  筺体
７０ａ  第２連結部
７０ｂ  載置面
７０ｃ  側面部
７０ｄ  保持部
７０ｅ  当接面
【図１】
0006017147.tif 000002
【図２】
0006017147.tif 000003
【図３】
0006017147.tif 000004
【図４】
0006017147.tif 000005
【図５】
0006017147.tif 000006
【図６】
0006017147.tif 000007
【図７】
0006017147.tif 000008
【図８】
0006017147.tif 000009
【図９】
0006017147.tif 000010
【図１０】
0006017147.tif 000011
【図１１】
0006017147.tif 000012
【図１２】
0006017147.tif 000013
【図１３】
0006017147.tif 000014
【図１４】
0006017147.tif 000015
【図１５】
0006017147.tif 000016